(57)【特許請求の範囲】
【請求項１】
フォルダに格納されている画像ファイルによって表される複数駒の画像の再生時間をそれぞれ計測する再生時間計測手段，
上記再生時間計測手段によって計測された複数駒の画像の再生時間のうち最も長い再生時間に対応する画像ファイルにもとづいて，上記フォルダに格納されている画像ファイルによって表される複数駒の画像を代表する代表画像データを生成する代表画像データ生成手段，および
上記代表画像データ生成手段によって生成された代表画像を表示する表示装置がアクティブの状態かどうかを判定する手段を備え，
上記再生時間計測手段は，上記判定する手段によって表示装置がアクティブの状態でないと判定された場合に再生時間の計測を停止し，上記判定する手段によって表示装置がアクティブの状態と判定されている場合に再生時間を計測するものである，
代表画像生成装置。
【請求項２】
上記代表画像データ生成手段によって生成される代表画像データが，上記フォルダを特定するフォルダ・アイコンを表すフォルダ・アイコン・データである，請求項１に記載の代表画像生成装置。
【請求項３】
フォルダに格納されている画像ファイルによって表される複数駒の画像の再生回数をそれぞれ計測する再生回数計測手段，
上記再生回数計測手段によって計測された複数駒の画像の再生回数のうち最も多い再生回数に対応する画像ファイルにもとづいて，上記フォルダに格納されている画像ファイルによって表される複数駒の画像を代表する代表画像データを生成する代表画像データ生成手段，
上記代表画像データ生成手段によって生成された代表画像を表示する表示装置がアクティブの状態かどうかを判定する手段，および
上記判定する手段によって表示装置がアクティブの状態でないと判定された場合に再生時間の計測を停止し，上記判定する手段によって表示装置がアクティブの状態と判定されている場合に再生時間を計測する再生時間計測手段を備え，
上記再生回数計測手段が，上記再生時間計測手段によって計測された再生時間が所定時間以上の場合に再生回数をインクレメントするものである，
代表画像生成装置。
【発明の詳細な説明】
【０００１】
【技術分野】
この発明は，フォルダに格納されている画像ファイルによって表される複数駒の画像の代表画像を表すデータを生成する装置に関する。
【０００２】
【発明の背景】
パーソナル・コンピュータに接続された表示装置の表示画面上には，パーソナル・コンピュータのハードディスクに格納されている，ソフトウエア，ファイルなどを特定するためにアイコンと呼ばれる図形が表示される。画像ファイルがフォルダ内に格納されている場合には，そのフォルダのアイコンが表示される。フォルダ・アイコンがクリックされることにより，フォルダが開き，フォルダ内に格納されている画像ファイルのアイコンが表示される。表示された画像ファイルのアイコンがクリックされることにより，そのクリックされた画像ファイル・アイコンによって特定される画像ファイルが開く。開かれた画像ファイルによって表される画像が表示される。
【０００３】
格納されている画像ファイルによって表される複数駒の画像を適切に表すフォルダ名を付けることにより，フォルダに格納されている画像ファイルによって表される画像がどのような種類のものかを一応は予想することができる。
【０００４】
しかしながら，適切なフォルダ名を付けることは必ずしも簡単ではない。
【０００５】
また，格納されている画像ファイルのうちファイル名の最初の画像ファイルによって表される画像をフォルダの代表画像とするものもある。
【０００６】
しかしながら，このような代表画像は必ずしもユーザが考えている代表画像と一致するとは限らない。
【０００７】
【発明の開示】
この発明は，ユーザが考えている代表画像を生成することを目的とする。
【０００８】
第１の発明によるフォルダ・アイコン生成装置は，フォルダに格納されている画像ファイルによって表される複数駒の画像の再生時間をそれぞれ計測する再生時間計測手段，および上記再生時間計測手段によって計測された複数駒の画像の再生時間のうち最も長い再生時間に対応する画像ファイルにもとづいて，上記フォルダに格納されている画像ファイルによって表される複数駒の画像を代表する代表画像データを生成する代表画像データ生成手段を備えていることを特徴とする。
【０００９】
第１の発明によるフォルダ・アイコン生成装置に適した制御方法を提供するようにしてもよい。すなわち，この方法は，フォルダに格納されている画像ファイルによって表される複数駒の画像の再生時間をそれぞれ計測し，計測された複数駒の画像の再生時間のうち最も長い再生時間に対応する画像ファイルにもとづいて，上記フォルダに格納されている画像ファイルによって表される複数駒の画像を代表する代表画像データを生成することを特徴とする。
【００１０】
上記方法を実施するプログラムおよびそのようなプログラムを格納した記録媒体も提供するようにしてもよい。
【００１１】
第１の発明によると，フォルダに格納されている画像ファイルによって表される複数駒の画像の再生時間がそれぞれ計測される。計測された複数駒の画像の再生時間のうち最も長い再生時間に対応する画像ファイル（最も長い再生時間の画像を表す画像ファイル）にもとづいて，代表画像データが生成される。再生時間が長い画像ほどユーザが頻繁に鑑賞する画像である。ユーザが頻繁に鑑賞する画像が代表画像とされるので，ユーザが重要と考えている画像が代表画像となる。
【００１２】
代表画像データは，フォルダを特定するフォルダ・アイコン・データであってもよい。フォルダ・アイコンに代表画像が利用されるので，フォルダ・アイコンを見るだけで，そのフォルダ・アイコンによって特定されるフォルダに格納されている画像ファイルによって表される画像の内容が分かるようになる。
【００１３】
上記再生計測手段は，上記代表画像データ生成手段によって生成された代表画像を表示する表示装置がアクティブの状態において，画像が表示されている場合に再生時間を計測することが好ましい。
【００１４】
一定時間の間操作が無いと，表示装置がスタンバイ・モードとなったり，スクリーン・セーバの画像が表示される。すると，画像が再生されている場合であっても画像を鑑賞していることにはならない。表示装置がアクティブの状態（画像が表示されている状態）において再生時間が計測されるので，実質的にユーザが鑑賞している時間を計測することができる。
【００１５】
代表画像（フォルダ・アイコン）を表示画面上に表示するように表示装置を制御する表示制御手段をさらに備えてもよい。
【００１６】
上記再生時間計測手段によって計測された複数駒の画像の再生時間を時間の長い順にソーティングするソーティング手段をさらに備えてもよい。この場合，上記フォルダ・アイコン・データ生成手段は，最も長い再生時間に対応する画像ファイルにもとづく上記フォルダ・アイコン・データを生成する処理を上記ソーティング手段によってソーティングされるごとに行うものとなろう。
【００１７】
迅速にフォルダ・アイコンを表示できるようになる。
【００１８】
第２の発明によるフォルダ・アイコン生成装置は、フォルダに格納されている画像ファイルによって表される複数駒の画像の再生回数をそれぞれ計測する再生回数計測手段，および上記再生回数計測手段によって計測された複数駒の画像の再生回数のうち最も多い再生回数に対応する画像ファイルにもとづいて，上記フォルダに格納されている画像ファイルによって表される複数駒の画像を代表する代表画像データを生成する代表画像データ生成手段を備えていることを特徴とする。
【００１９】
第２の発明によるフォルダ・アイコン生成装置に適した制御方法を提供するようにしてもよい。すなわち，この方法は，フォルダに格納されている画像ファイルによって表される複数駒の画像の再生回数をそれぞれ計測し，計測された複数駒の画像の再生回数のうち最も多い再生回数に対応する画像ファイルにもとづいて，上記フォルダに格納されている画像ファイルによって表される複数駒の画像を代表する代表画像データを生成することを特徴とする。
【００２０】
上記方法を実施するプログラムおよびそのようなプログラムを格納した記録媒体も提供するようにしてもよい。
【００２１】
第２の発明によると，フォルダに格納されている画像ファイルによって表される複数駒の画像の再生回数がそれぞれ計測される。計測された複数駒の画像の再生回数のうち最も多い再生回数に対応する画像ファイル（最も多い再生回数の画像を表す画像ファイル）にもとづいて，代表画像データが生成される。再生回数が多い画像ほどユーザが頻繁に鑑賞する画像である。ユーザが頻繁に鑑賞する画像が代表画像とされるので，ユーザが重要と考えている画像が代表画像となる。
【００２２】
上記フォルダに格納されている画像ファイルによって表される画像の再生時間を計測する再生時間計測手段をさらに備えてもよい。この場合、上記再生回数計測手段は、上記再生時間計測手段によって計測された再生時間が所定時間以上の場合に再生回数をインクレメントするものとなろう。
【００２３】
ユーザが重要と考えている画像は再生時間が長くなる。再生時間が長い画像について再生回数がインクレメントされるので、真に重要な画像が代表画像となる。
【００２４】
【実施例の説明】
図１は，この発明の実施例を示すもので，コンピュータ装置の電気的構成を示すブロック図である。
【００２５】
コンピュータ装置の全体の動作は，ＣＰＵ１によって統括される。
【００２６】
システム・バスによってＣＰＵ１にメモリ・ブリッジ５が接続されている。メモリ・インターフェイス６を介してメモリ７がメモリ・ブリッジ５に接続されている。また，メモリ・ブリッジ５にはグラフィクス回路４が接続されている。表示インターフェイス３を介してグラフィクス回路４に表示装置２が接続されている。
【００２７】
また，メモリ・ブリッジ５にはＩ／Ｏ（ input／output）ブリッジ８が接続されている。このＩ／Ｏブリッジ８には，ハードディスク・ドライブ９，入力装置11，ネットワーク回路12，CD-ROM（コンパクト・ディスク−リード・オンリ・メモリ）ドライブ13，ローカルＩ／Ｏ14およびＰＣＩ（peripheral component interconnect ）スロット16が接続されている。ローカルＩ／Ｏ14には時刻を計測する時計15が接続されている。ハードディスク・ドライブ９によってハードディスク10への画像データ（画像ファイル）の書き込みおよびハードディスク10からの画像データの読み出しが行われる。また，CD-ROMドライブ13によってCD-ROM17に記録されている画像データ，プログラム等が読み出される。CD-ROM17に格納されているプログラムがCD-ROMドライブ13によって読み出され，コンピュータ装置にインストールされることにより，後述の動作が行われる。
【００２８】
図２から図５は，コンピュータ装置における画像再生処理手順を示すフローチャート，図６は，再生時間ファイルの内容を示し，図７は，表示装置に表示されるウインドウの一例である。
【００２９】
この実施例においては，表示装置２の表示画面にウインドウを表示させ，このウインドウ内に，ハードディスク10に記録されている画像ファイルを格納するフォルダを特定するフォルダ・アイコンを表示（フォルダ表示ということにする）させることができる。後述するように，そのフォルダ・アイコンによって特定されるフォルダに格納されている画像ファイルによって表される複数駒の画像のうち最も再生時間（表示時間）の長い画像（代表画像）を用いてフォルダ・アイコンが生成される。
【００３０】
フォルダ表示ソフトウエアが起動させられることにより図２から図５に示す処理が開始される。フォルダ表示ソフトウエアが起動させられると，前回のフォルダ表示ソフトウエアが動作したときにフォルダ表示で終了したかどうかが確認される（図２ステップ21）。
【００３１】
画像ファイルによって表される画像が表示されていた場合など，フォルダ表示で終了しなかった場合には（図２ステップ21でＮＯ），最後に表示された画像が再び表示装置２の表示画面に表示されるように表示処理が行われる（ステップ22）。
【００３２】
すると，次に述べるように，表示されている画像の再生時間（表示時間）が計測される（図２ステップ23から図２ステップ28，図３ステップ31から40）。
【００３３】
まず，画像が表示されたかどうかが確認される（図２ステップ23）。表示されなければ（図２ステップ23でＮＯ），エラー処理が実行される（図２ステップ24）。表示されると（図２ステップ23でＹＥＳ），再生開始時刻が時計15から読み取られ，メモリ７に記憶される（図２ステップ25）。
【００３４】
次に表示すべき画像がユーザによって選択されると（図２ステップ26でＹＥＳ），今まで表示されていた画像が表示画面から消えるので再生終了時刻がメモリ７に記憶される（図２ステップ28）。
【００３５】
つづいて，再生時間ファイルがすでに作成されているかどうかが確認される（図３ステップ31）。
【００３６】
再生時間ファイルによって表される内容の一例が図６に示されている。再生時間ファイルには，画像ファイル名に対応してそれらの画像ファイル名に対応する画像の再生時間（総再生時間）を表すデータが格納されている。この再生時間ファイルはフォルダに対応して生成されており，対応するフォルダ内に格納されている（もっとも，対応するフォルダ内に必ずしも格納されていなくともよく，フォルダと対応する再生時間ファイルとがリンクされていてもよい）。
【００３７】
再生された画像を表す画像ファイルが格納されているフォルダに対応する再生時間ファイルがすでにあると（図３ステップ31でＹＥＳ），再生時間のうち最も長い再生時間（最長再生時間）を表すデータが再生時間ファイルから読み出されメモリ７に記録される（図３ステップ32）。また，メモリ７に記憶された再生終了時刻から再生開始時刻を引いた再生時間が算出され，再生時間ファイルの対応する再生時間に加算される（図３ステップ34）。その後，再生時間ファイルに記録されている再生時間が長い順に並び替えられる（図３ステップ35）。
【００３８】
並び替え後の最長再生時間がメモリ７に記憶されている最長再生時間と同じであれば（図３ステップ35），フォルダに格納されている画像ファイルによって表される複数駒の画像のうち表示時間の最も長い画像は変わっていないこととなる。このために，フォルダ・アイコンに利用される画像は変わらない。ユーザによって指定された次の画像が表示装置２の表示画面上に表示される（図３ステップ36）。
【００３９】
並び替え後の最長再生時間がメモリ７に記憶されている最長再生時間と異なると（図３ステップ35でＮＯ），最長再生時間が，表示されていた画像の再生時間に変わったこととなる。このために，変わった最長再生時間をもつ画像ファイルによって表される画像をもつフォルダ・アイコンを表すフォルダ・アイコン・ファイルが作成される（図３ステップ38）。作成された新しいフォルダ・アイコン・ファイルが古いフォルダ・アイコン・ファイルと取り換えられる（図３ステップ39）。フォルダ・アイコン・ファイルの格納場所を示すフォルダ・アイコン・ファイルに，新しく作成されたフォルダ・アイコン・ファイルの格納場所が記録される（図３ステップ40）。このようにして，フォルダ・アイコンは最も再生時間の長い画像を利用して作成されるようになる。
【００４０】
再生時間ファイルがまだ作成されていない場合には（図３ステップ31でＮＯ），再生時間ファイルが作成され，表示されていた画像の再生時間が記録される（ステップ37）。その後の処理は上述した図３ステップ38からステップ40の処理と同じである。
【００４１】
また，画像が表示されている場合において，次の画像が選択されずに（図２ステップ26でＮＯ），フォルダ表示が選択された場合（図２ステップ27でＹＥＳ），または前回がフォルダ表示で終了した場合（図２ステップ21でＹＥＳ），図４に示す処理が行われることとなる。
【００４２】
図４を参照して，ウインドウＷ１内にハードディスク10に格納されているすべてのフォルダ（もっともハードディスク10に格納されているすべてのフォルダではなく一部のフォルダであってもよい）を表示することができると（図４ステップ51でＹＥＳ），次に示すようにフォルダ・アイコンの表示処理が実行される。
【００４３】
まず，ウインドウＷ１内に表示されるすべてのフォルダについてのフォルダ・アイコンの表示が終了したかどうかに利用される表示変数Ｌがリセットされる（図４ステップ52）。表示変数ＬがウインドウＷ１に表示可能な一覧表示フォルダ数Ｎに一致すれば（図４ステップ53でＹＥＳ），ウインドウＷ１に表示可能なフォルダ・アイコンの表示が終了したこととなる。
【００４４】
表示変数ＬがウインドウＷ１に表示可能な一覧表示フォルダＮに一致しなければ（図４ステップ53でＮＯ），Ｌ番目のフォルダについて上述したフォルダ・アイコン指定ファイルがあるかどうかが確認される（図４ステップ54）。フォルダ・アイコン指定ファイルがあれば（図４ステップ54でＹＥＳ），そのフォルダ・アイコン指定ファイルによって指定されるフォルダ・アイコン・ファイルによって表されるフォルダ・アイコン（上述したように最長再生時間をもつ画像を用いて生成されたフォルダ・アイコンであり，画像付きフォルダ・アイコンということにする）がウインドウＷ１内に表示される（図４ステップ55）。フォルダ・アイコン指定ファイルがなければ（図４ステップ54でＮＯ），画像が付加されていないフォルダ・アイコンがウインドウＷ１内に表示される（図４ステップ57）。
【００４５】
表示変数Ｌがインクレメントされ（図４ステップ56），ステップ53から57の処理が繰り返される。すべてのフォルダ・アイコンがウインドウＷ１内に表示されると，表示変数Ｌが一覧表示フォルダ数Ｎに一致する（図４ステップ53でＹＥＳ）。すると，画像ファイル表示（画像ファイルが選択されることにより，その画像ファイルによって表される画像の表示）が選択され，画像フォルダ表示が選択されていなければ（図４ステップ58），フォルダ表示が続けられる（図４ステップ58でＮＯ），画像フォルダ表示が選択されず，画像ファイル表示が選択されると（図４ステップ58でＮＯ），図２を参照して説明したように画像表示およびその再生時間の計測処理が行われる。
【００４６】
このようにして，表示装置２の表示画面には図７に示すウインドウＷ１が表示される。ウインドウＷ１には生成されたフォルダ・アイコンＦ１〜Ｆ４が表示されている。これらのフォルダ・アイコンＦ１〜Ｆ４には上述した代表画像が用いられている。またウインドウＷ１の右側にはスクロール・バー81が設けられている。
【００４７】
ウインドウＷ１内にすべてのフォルダ・アイコンを表示できない場合には（図４ステップ51でＮＯ），ウインドウＷ１にあるスクロール・バー81が移動されることによりスクロールが行われ，ウインドウＷ１内に表示されていないフォルダ・アイコンがウインドウＷ１内に表示されるようになる。
【００４８】
図５を参照して，表示変数Ｌが，０から始まる表示先頭フォルダ番号（ウインドウＷ１内に表示されるフォルダ・アイコンを規定するものであり，表示先頭フォルダ番号の順序はフォルダ名の順序，フォルダ名が番号であれば番号順，フォルダ名がアルファベットであればアルファベット順，フォルダ名が日本語であれば五十音順）Ｐにセットされる（図５ステップ61）。
【００４９】
表示変数Ｌが表示先頭フォルダ番号Ｐと一覧表示フォルダ数Ｎとを加算したものと一致するかどうかが判定される（図５ステップ62）。表示変数Ｌが表示先頭フォルダ番号Ｐと一覧表示フォルダ数Ｎとを加算したものと一致するとウインドウＷ１内に表示可能なすべてのフォルダ・アイコンを表示する処理が終了したこととなる。
【００５０】
表示変数Ｌが表示先頭フォルダ番号Ｐと一覧表示フォルダ数Ｎとを加算したものと一致しなければ（図５ステップ62でＮＯ），上述した図４のステップ54から57の処理と同じ処理が行われる（図５ステップ63から66）。ウインドウＷ１内に表示可能なフォルダ・アイコンが代表画像付きまたは代表画像なしですべて表示されることとなる。
【００５１】
表示変数Ｌが表示先頭フォルダ番号Ｐと一覧表示フォルダ数Ｎとを加算したものと一致すると，上述したようにウインドウＷ１内に表示可能なすべてのフォルダ・アイコンを表示する処理が終了したこととなる。ウインドウＷ１内に表示されている他のフォルダ・アイコンをウインドウＷ１内に表示させるためにスクロール・バー81が正方向（下方向）に動かされると（図５ステップ67でＹＥＳ），表示先頭フォルダ番号Ｐがインクレメントされる（図５ステップ68）。これにより，ウインドウＷ１の最後に表示されているフォルダ・アイコンの次のフォルダ・アイコンのウインドウＷ１内への表示処理が行われることとなり（図５ステップ63から66），次のフォルダ・アイコンがウインドウＷ１内に表示されることとなる。
【００５２】
ウインドウＷ１内に表示されている他のフォルダ・アイコンをウインドウＷ１内に表示させるためにスクロール・バー81が負方向（上方向）に動かされると（図５ステップ67でＮＯ，ステップ69でＹＥＳ），表示先頭フォルダ番号が０かどうかが確認される（図５ステップ70）。表示先頭フォルダ番号が０でなければ表示先頭フォルダ番号がデクレメントされる（図５ステップ71）。これにより，ウインドウＷ１の先頭に表示されているフォルダ・アイコンの前のフォルダ・アイコンのウインドウＷ１内への表示処理が行われることとなり（図５ステップ63から66），次のフォルダ・アイコンがウインドウＷ１内に表示されることとなる。表示先頭フォルダ番号が０であると（図５ステップ70でＹＥＳ），デクレメントできないので表示先頭フォルダ番号は全フォルダ数Ｍに設定される（図５ステップ72）。すると，最後のフォルダ名をもつフォルダ・アイコンからウインドウＷ１内に表示されるようになる（図５ステップ63から66）。
【００５３】
図８は，変形例を示すもので，表示装置２の表示画面に表示されるウインドウの一例である。
【００５４】
図８に示すウインドウＷ２には，左上に小ウインドウＷ11，右側に小ウインドウＷ12および左下に小ウインドウＷ13が含まれている。小ウインドウＷ11は，画像フォルダを表示していることを示すものである。小ウインドウＷ12は，フォルダ・アイコンＦ１からＦ６を一覧表示するものである。小ウインドウＷ13は，小ウインドウＷ12に表示されているフォルダ・アイコンの中からユーザによって選択されたフォルダ・アイコン（図８においてはフォルダ・アイコンＦ４が選択されており，選択されている様子がハッチングで示されている）の生成に用いられた画像（上述したように，フォルダに格納されている画像ファイルによって表される複数駒の画像の代表画像である）を表示するものである。
【００５５】
フォルダ・アイコンは一般的に小さいので，代表画像が表示されていても見づらい。小ウインドウＷ13にフォルダ・アイコンの画像に比べて大きく代表画像が表示されるので代表画像を確認することが容易となる。
【００５６】
図９は，さらに他の変形例を示すもので，表示装置の表示画面に表示されるウインドウの一例である。
【００５７】
ウインドウＷ３には，左上の小ウインドウＷ21，右側に小ウインドウＷ22および左下に小ウインドウＷ23が含まれている。
【００５８】
小ウインドウＷ21には，ディレクトリ構成が表示されている。このディレクトリ構成のうちユーザによって選択されたフォルダ（フォルダ４）がハッチングで示されている。小ウインドウＷ22には，選択されたフォルダに格納されている画像ファイル（画像ファイル名IMG00355.JPGからIMG00358.JPG）によってそれぞれ表される画像（サムネイル画像）が表示されている。小ウインドウＷ23には，ユーザによって選択されたフォルダに格納されている画像ファイルによって表される複数駒の画像の代表画像（１駒の画像を表す画像ファイルのみが格納されている場合にはその画像が代表画像となる）が表示される。
【００５９】
図９に示す場合も，比較的大きな代表画像が表示されるので，代表画像を確認しやすくなる。
【００６０】
上述した実施例はコンピュータ装置についてのものであったが，この実施例によるフォルダ表示はコンピュータのみならず画像を表示する装置であれば適用することができる。
【００６１】
図1Oは，ディジタル・スチル・カメラの背面に設けられる表示画面の一例である。
【００６２】
表示画面Ｓ１には，上述のようにして生成される代表画像を用いて生成されるフォルダ・アイコンＦ１からＦ９が一覧で表示されている。ディジタル・スチル・カメラのようなものであってもこの実施例によるフォルダ・アイコン表示を適用できることが理解されよう。また，ディジタル・スチル・カメラの電気的構成は，上述したコンピュータ装置の電気的構成に撮像系の回路，再生系の回路等が付加されるのはいうまでもない。
【００６３】
図11は，変形例を示すもので，ディジタル・スチル・カメラの背面に設けられる表示画面の一例である。
【００６４】
表示画面Ｓ２には，その上部にフォルダ・アイコン表示領域Ｓ11，左下に代表画像表示領域Ｓ12および右下に代表画像情報表示領域Ｓ13が含まれている。
【００６５】
フォルダ・アイコン表示領域Ｓ11は，ディジタル・スチル・カメラに格納されているフォルダを特定するフォルダ・アイコン（フォルダ・アイコンＦ４からＦ６など）を一覧で表示するものである。ユーザによって選択されたフォルダ・アイコン（フォルダ・アイコンＦ４）がハッチングで示されている。フォルダ・アイコン表示領域Ｓ11にはスクロール・バー82も含まれている。スクロール・バー82が移動されることにより，スクロールが行われ領域Ｓ11に表示されていないフォルダ・アイコンが表示されるようになる。
【００６６】
代表画像表示領域Ｓ12には，ユーザによって選択されたフォルダ・アイコンに対応する代表画像が表示される。比較的大きな代表画像が表示されるので，ディジタル・スチル・カメラの背面にある表示画面Ｓ２のような比較的小さな画面に表示される場合であっても代表画像を確認することができるようになる。
【００６７】
代表画像情報表示領域Ｓ13には，代表画像表示領域Ｓ12に表示されている代表画像についての情報（撮影年月日および時間，ファイル名ならびに上述した再生時間）が表示される。これらの画像情報は，画像ファイルのヘッダ領域に記録されている。したがって，再生時間は，上述したように再生時間ファイルに記録されているだけでなく，画像ファイルのヘッダ領域に記録されることとなる。再生時間ファイルが破損等した場合であっても上述した処理を続行することができるようになる。
【００６８】
図12は，再生時間の計測処理手順を示すフローチャートである。
【００６９】
コンピュータ装置などにおいては一定期間の間操作が無いと表示装置の焼き付きなどを未然に防止するために，表示画面にはスクリーン・セーバの画像が表示されることが多い。この処理においては，表示画面がアクティブ（表示画面上にウインドウが表示され，見ることができる状態であり，スクリーン・セーバ画像が表示されていない状態，スタンバイ状態では無い状態などである）となっている状態における画像の再生時間を計測するものである。実質的にユーザが画像を鑑賞している時間を再生時間として計測できる。
【００７０】
また，この処理においてはタイマが用いられる。タイマは上述した時計15の変わりに接続されてもよいし，新たに追加されてもよい。もっとも，上述したように時計15を利用できるのはいうまでもない。
【００７１】
表示画面上に表示すべき画像が選択されると（ステップ91でＹＥＳ），選択された画像の表示処理が行われる（ステップ92）。選択された画像が表示されなければ（ステップ93でＮＯ），エラー処理が行われる。選択された画像が表示されると（ステップ93でＹＥＳ），タイマがスタートされる（ステップ94）。
【００７２】
表示装置の表示画面がアクティブの状態であれは（ステップ96でＹＥＳ），次の画像が選択されるまで（ステップ100 ），選択された画像の表示が続けられ，タイマによる計時が続行される。次の画像が選択されると，タイマの計時が停止させられる。得られた再生時間を表すデータが表示されていた画像に対応して上述した再生時間ファイルに記録される（ステップ101 ）。
【００７３】
表示装置の表示画面がアクティブの状態でなければ（ステップ96でＮＯ），画像は見ることができない状態なのでタイマが停止される（ステップ97）。表示画面がアクティブの状態となると（ステップ98でＹＥＳ），再びタイマがスタートし再生時間の計時が続行される（ステップ99）。
【００７４】
上述した実施例においては再生時間ファイルを作成し，この再生時間ファイルに記録されているデータによって表される再生時間を長い順にソーティングしておき最長再生時間を見つけているが，再生時間を長い順にソーティングしておく必要は必ずしもない。フォルダ・アイコンを作成するごとに再生時間の比較を行い，最長再生時間を検出するようにしても良い。また，上述したように画像ファイルのヘッダ領域に再生時間を表すデータが記録されていれば再生時間ファイル自体も必ずしも必要ではない。
【００７５】
図13は，再生回数の計測処理手順を示すフローチャートである。図13において，図12に示す処理と同一の処理については同一符号を付す。
【００７６】
上述した実施例においては，再生時間を計測し，再生時間の長い画像を代表画像としていたが，次のようにして再生回数を計測し，再生回数の多い画像を代表画像としてもよい。
【００７７】
画像が選択されると，選択された画像が表示される（ステップ91，92）。画像が表示されると，表示画面がアクティブの間，タイマによって再生時間が計測される（ステップ93〜102）。
【００７８】
計測された再生時間が所定の時間以上であれば（ステップ103でＹＥＳ），画像の再生回数がインクレメントされる（ステップ104）。単に画像を確認するために画像を表示した場合には，再生回数がインクレメントされないので，鑑賞された画像の回数を計測することができる。
【００７９】
再生時間ファイルと同様に，再生回数ファイルを生成することにより，再生回数の多い画像を用いてフォルダ・アイコン画像を生成できるようになる。もっとも，再生時間が所定時間以上のときに再生回数をインクレメントせずに，再生されたことに応じて再生回数をインクレメントするようにしてもよい。
【図面の簡単な説明】
【図１】コンピュータ装置の電気的構成を示すブロック図である。
【図２】フォルダ表示処理手順の一部を示すフローチャートである。
【図３】フォルダ表示処理手順の一部を示すフローチャートである。
【図４】フォルダ表示処理手順の一部を示すフローチャートである。
【図５】フォルダ表示処理手順の一部を示すフローチャートである。
【図６】再生時間ファイルの内容を示している。
【図７】表示画面に表示されるウインドウの一例である。
【図８】表示画面に表示されるウインドウの一例である。
【図９】表示画面に表示されるウインドウの一例である。
【図１０】表示画面の一例である。
【図１１】表示画面の一例である。
【図１２】再生時間計測処理手順を示すフローチャートである。
【図１３】再生回数計測処理手順を示すフローチャートである。
【符号の説明】
１  ＣＰＵ
２  表示装置
７  メモリ
９  ハードディスク・ドライブ
10  ハードディスク
13  CD-ROMドライブ
17  CD-ROM
15  時計
Ｆ１〜Ｆ９  フォルダ・アイコン
Ｓ１，Ｓ２  表示画面
Ｗ１〜Ｗ３  ウインドウ
【図１】
0004061206.tif 000002
【図２】
0004061206.tif 000003
【図３】
0004061206.tif 000004
【図４】
0004061206.tif 000005
【図５】
0004061206.tif 000006
【図６】
0004061206.tif 000007
【図７】
0004061206.tif 000008
【図８】
0004061206.tif 000009
【図９】
0004061206.tif 000010
【図１０】
0004061206.tif 000011
【図１１】
0004061206.tif 000012
【図１２】
0004061206.tif 000013
【図１３】
0004061206.tif 000014